(57)【要約】【課題】帯電した指等で操作しても、静電気によるノイズ等がその電気回路に入り込むことのない電子部品の静電気侵入防止機構を提供する。【解決手段】開口部１３１を有するケース１３０と、ケース１３０の下部に設置され開口部１３１を介してケース１３０の上側から操作される電子部品本体部（摺動型物５０や摺動子７０やスイッチパターン２３を設けた第一の回路基板２０等からなる）とを具備する。ケース１３０の開口部１３１から侵入してくる静電気を入射する導電性を有するアース板８０を摺動型物５０の上面を覆うように取り付ける。アース板８０の摺接部８５（弾接部８７）に接触することでケース１３０の上部から開口部１３１を通してアース板８０に侵入した静電気をアース板８０から導出する導体パターン３３を設ける。【選択図】図３
2006140092.tif 000002
【特許請求の範囲】
【請求項１】
開口部を有する電子部品用ケースと、
前記電子部品用ケースの下部に設置され前記開口部を介して電子部品用ケースの上側から操作される電子部品本体部とを具備する電子部品において、
前記電子部品用ケースの開口部から侵入してくる静電気を入射する導電性を有するアース板を前記電子部品本体部に取り付けると共に、
前記アース板に接近又は接触することで前記アース板に侵入した静電気をアース板から導出する静電気導出部材を設けたことを特徴とする電子部品の静電気侵入防止機構。
【請求項２】
前記電子部品本体部は、前記ケースの上側から操作されて移動する移動型物と、移動型物の移動によってその電気的出力を変化する電気的機能部とを具備して構成されており、
且つ前記アース板は移動型物の上面を覆って取り付けられていることを特徴とする請求項１に記載の電子部品の静電気侵入防止機構。
【請求項３】
前記静電気導出部材は、前記移動型物に隣接して固定側部材に固定されており、
前記アース板には、前記移動型物の移動に伴って前記静電気導出部材上を摺接する摺接部が設けられていることを特徴とする請求項２に記載の電子部品の静電気侵入防止機構。
【請求項４】
前記静電気導出部材は、基板上に形成された導体パターンであることを特徴とする請求項２又は３に記載の電子部品の静電気侵入防止機構。
【発明の詳細な説明】
【技術分野】
【０００１】
本発明は、電子部品に侵入する静電気を除去するのに好適な電子部品の静電気侵入防止機構に関するものである。
【背景技術】
【０００２】
従来スライド式電子部品は、例えば特許文献１の図１に示すように、ケース（２０）の上部に操作つまみ（４０）を設置し、またケース（２０）の下部に摺動型物（５０）と摺動子（５９）とフレキシブル基板（６３）とからなる電子部品本体部を設置し、ケース（２０）に設けた貫通孔（２１）を介して操作つまみ（４０）と摺動型物（５０）とを連結して構成されている。なおこのスライド式電子部品には、操作つまみ（４０）の中央に設けた貫通孔（４１）から上方向に突出するストッパ用つまみ（３０）と、これを上方向に押し上げるコイルバネ（６０）とからなるロック機構が設置されている。
【０００３】
そしてこのスライド式電子部品は、ストッパ用つまみ（３０）を押し下げることでロック機構のロックを外し、ケース（２０）に対して摺動型物（５０）をスライド自在とした上でスライド移動し、これによって摺動子（５９）がフレキシブル基板（６３）のスイッチパターン上を摺動し、その電気的出力を変化する。
【０００４】
しかしながら上記スライド式電子部品において、操作つまみ（４０）やストッパ用つまみ（３０）に触れる指が帯電している場合、この静電気が、操作つまみ（４０）の貫通孔（４１）とストッパ用つまみ（３０）の間の隙間や、操作つまみ（４０）の外周下面とケース（２０）上面間の隙間などを介して、ケース（２０）の貫通孔（２１）から前記摺動子（５９）やフレキシブル基板（６３）上のスイッチパターンに入射して電気回路のノイズとなり、このスライド式電子部品を取り付けた電子機器の誤動作を招く恐れがあった。特に上記スライド式電子部品のようにストッパー機構用の貫通孔（２１）を設けている場合は、操作つまみ（４０）の外周下面とケース（２０）上面の間の隙間を通って静電気が侵入する沿面距離よりも、操作つまみ（４０）の貫通孔（４１）を通って静電気が侵入する沿面距離の方が短いので、その分静電気が入り込み易く、問題となる。
【特許文献１】特開平８−３２９７７５号公報
【発明の開示】
【発明が解決しようとする課題】
【０００５】
本発明は上述の点に鑑みてなされたものでありその目的は、帯電した指等で操作しても、静電気によるノイズ等がその電気回路に入り込むことのない電子部品の静電気侵入防止機構を提供することにある。
【課題を解決するための手段】
【０００６】
本願請求項１に記載の発明は、開口部を有する電子部品用ケースと、前記電子部品用ケースの下部に設置され前記開口部を介して電子部品用ケースの上側から操作される電子部品本体部とを具備する電子部品において、前記電子部品用ケースの開口部から侵入してくる静電気を入射する導電性を有するアース板を前記電子部品本体部に取り付けると共に、前記アース板に接近又は接触することで前記アース板に侵入した静電気をアース板から導出する静電気導出部材を設けたことを特徴とする電子部品の静電気侵入防止機構にある。
【０００７】
本願請求項２に記載の発明は、前記電子部品本体部は、前記ケースの上側から操作されて移動する移動型物と、移動型物の移動によってその電気的出力を変化する電気的機能部とを具備して構成されており、且つ前記アース板は移動型物の上面を覆って取り付けられていることを特徴とする請求項１に記載の電子部品の静電気侵入防止機構にある。
【０００８】
本願請求項３に記載の発明は、前記静電気導出部材は、前記移動型物に隣接して固定側部材に固定されており、前記アース板には、前記移動型物の移動に伴って前記静電気導出部材上を摺接する摺接部が設けられていることを特徴とする請求項２に記載の電子部品の静電気侵入防止機構にある。
【０００９】
本願請求項４に記載の発明は、前記静電気導出部材は、基板上に形成された導体パターンであることを特徴とする請求項２又は３に記載の電子部品の静電気侵入防止機構にある。
【発明の効果】
【００１０】
請求項１に記載の発明によれば、電子部品本体部に取り付けられるアース板と、アース板に侵入した静電気をアース板から導出する静電気導出部材とを設けたので、電子部品用ケースの開口部から侵入してくる静電気を全てアース板から静電気導出部材に向けてアースすることができる。従って帯電した指等でこの電子部品を操作しても、その静電気を効果的に除去できてこの電子部品の電気回路に静電気によるノイズ等が入り込むことを確実に防止できる。
【００１１】
請求項２に記載の発明によれば、移動型物の上面を覆うようにアース板を取り付けたので、ケースの開口部のすぐ下側にアース板を設置でき、従って開口部から侵入してくる静電気を確実にアース板に入射させることができる。
【００１２】
請求項３に記載の発明によれば、アース板に静電気導出部材上を摺接する摺接部を設けたので、移動部材を移動しても常に確実にアース板を静電気導出部材に接触させておくことができる。
【００１３】
請求項４に記載の発明によれば、静電気導出部材として基板上に形成された導体パターンを用いたので、移動部材を移動してもその移動方向に沿うように前記基板を配置するだけで、アース板の一部に導体パターンを常に接近又は接触させた状態としておくことができる。
【発明を実施するための最良の形態】
【００１４】
以下、本発明の実施形態を図面に基づいて詳細に説明する。
〔第一実施形態〕
図１，図２は本発明の第一実施形態にかかる電子部品の静電気侵入防止機構を用いて構成された電子部品（以下この実施形態では「ロック機構付きスライド式電子部品」という）１−１の分解斜視図であり、図１はその上側部分、図２はその下側部分を示している。また図３は直線方向に沿って移動するロック機構付きスライド式電子部品１−１の概略側断面図である。これらの図に示すようにロック機構付きスライド式電子部品１−１は、固定側部材の機能を有する取付部材１０と、第一の基板（以下この実施形態では「第一の回路基板」という）２０と、第二の基板（以下この実施形態では「第二の回路基板」という）３０と、摺動子７０を取り付けた移動型物（以下この実施形態では「摺動型物」という）５０と、アース板８０と、弾発手段（以下この実施形態では「コイルスプリング」という）１２０を取り付けたロックつまみ１００と、ケース１３０と、操作つまみ１６０とを具備して構成されている。なお電気的機能部を構成する第一の回路基板２０（特にそのスイッチパターン２３）と、電気的機能部を構成する摺動子７０を取り付けた摺動型物５０とによって電子部品本体部が構成されている。またロックつまみ１００とコイルスプリング１２０と電子部品用ケース（以下「ケース」という）１３０の下面に設けられるロック係合部１３３とによってロック機構が構成されている。以下各構成部品について説明する。
【００１５】
取付部材１０は剛性を有する金属板（合成樹脂板でも良い）によって構成されており、その所定箇所（この実施形態では四隅近傍の四個所）には小孔からなる取付部１１が設けられている。第一の回路基板２０は可撓性を有する絶縁性の合成樹脂フイルム〔例えばポリエチレンテレフタレートフイルム（ＰＥＴフイルム）やポリイミドフイルム（ＰＩフイルム）等〕２１の上面に摺接パターン（以下この実施形態では「スイッチパターン」という）２３を設け、また前記取付部材１０の各取付部１１に対向する位置にそれぞれ小孔からなる固定部２５を設けて構成されている。第一の回路基板２０の外周辺には帯状の引出部２７が接続されていて、スイッチパターン２３から引き出された図示しない回路パターンがこの引出部２７に引き出されている。スイッチパターン２３は印刷（スクリーン印刷等）や銅箔のエッチング等によって形成される。第二の回路基板３０は可撓性を有する絶縁性の合成樹脂フイルム〔例えばＰＥＴフイルムやＰＩフイルム等〕３１の上面のほぼ全面に導電性の静電気導出部材（以下この実施形態では「導体パターン」という）３３を設け、また前記第一の回路基板２０のスイッチパターン２３に対向する位置にスイッチパターン２３全体を露出する寸法形状の矩形状の開口部３５を設け、また前記第一の回路基板２０の各固定部２５に対向する位置にそれぞれ小孔からなる固定部３７を設けて構成されている。第二の回路基板３０の外周辺には帯状の引出部３９が接続されており、その上面にも導体パターン３３が設けられている。導体パターン３３は印刷（スクリーン印刷等）や銅箔のエッチング等によって形成される。そして第一，第二の回路基板２０，３０は、図２では図示の都合上、連結部２９，２９の部分で切断して分離した状態を示しているが、実際は連結部２９，２９を介して連結されている。即ち第一，第二の回路基板２０，３０は、一枚の合成樹脂フイルム２１（３１）に形成されていて、連結部２９，２９の部分を折り返すことで上下に重ね合わされている。なお第一，第二の回路基板２０，３０は、一枚の合成樹脂フイルム２１（３１）ではなく、二枚の独立した合成樹脂フイルム２１，３１で別々の部材として構成しても良い。
【００１６】
摺動型物５０は合成樹脂を略矩形状に成形して構成されており、その中央部分にはその上面を凹状に形成することでロックつまみ収納部５１を形成している。そしてロックつまみ収納部５１の中央には円形の上下に貫通する小孔からなるガイド部５３が設けられ、ガイド部５３の両側部にはスリット状の上下に貫通する取付部５５，５５が平行に設けられている。また摺動型物５０のスライド方向に平行な一方の側面には円形の有底穴からなるクリック部材収納部５７が設けられている。このクリック部材収納部５７には弾発手段（以下この実施形態では「コイルスプリング」という）５９と、金属球からなるクリック部材６１とが収納される。摺動子７０は弾性金属板製であり、基部７１の一辺から突出した二本の摺動冊子７３，７３を下方向に折り曲げて構成されている。基部７１には前記摺動型物５０の下面に設けた図示しない二つの小突起を挿入してその先端を熱カシメすることで摺動子７０を摺動型物５０に固定する二つの取付孔７７，７７が設けられている。
【００１７】
アース板８０は金属板（例えばステンレス板）を前記摺動型物５０の上面全体を略覆う形状に屈曲変形させて構成されている。即ち摺動型物５０のロックつまみ収納部５１の両側の上面に接してこれをほぼ覆う平板部の中央部分に下方向にコ字状に屈曲して前記摺動型物５０のロックつまみ収納部５１に沿うように接するロックつまみ収納部８２を設けている。そしてロックつまみ収納部８２の略中央の前記摺動型物５０のガイド部５３に対向する位置にはこれと同一形状の貫通孔からなる挿通部８１が設けられ、挿通部８１の両側部には前記摺動型物５０の取付部５５，５５を露出するために矩形状に切り欠いた一対の切欠き部８３，８３が設けられ、また前記平板部の一端部（アース板８０のスライド方向の一端部）からは複数本（この実施形態では二本）の摺接部８５，８５を突出してこれら摺接部８５，８５の根元部分を下方向に９０°折り曲げ、さらにその中間部分をスライド方向を向くように上方向に９０°折り曲げ、その先端に弾接部８７，８７を設けている。
【００１８】
ロックつまみ１００は合成樹脂の成形品であり、略矩形状に形成されたロック本体部１０１と、ロック本体部１０１の上面中央から突出するつまみ部１０３とを具備している。ロック本体部１０１のスライド方向の長さは、前記アース板８０のロックつまみ収納部８２のスライド方向の長さと略同一長さに形成されている。ロック本体部１０１のスライド方向両端には、スライド方向に対して直交する方向に延びる上方向に棒状に突出する一対のロック部１０５，１０５が設けられ、またつまみ本体部１０１のつまみ部１０３の両側部の前記摺動型物５０の取付部５５，５５に対向する位置にはこれらと略同一形状のスリット状の上下に貫通する挿入部１０７，１０７が平行に設けられている。つまみ部１０３は基部１１３の上部から長円柱状の押圧部１１５を突出して構成され、つまみ部１０３の下面には図３に示すように、円形の弾発手段収納穴１０９が設けられている。弾発手段収納穴１０９の底面中央には円柱状のガイド突起１１１が立設している。ガイド突起１１１は弾発手段収納穴１０９から突出している。
【００１９】
ケース１３０は合成樹脂を下面が開放された矩形状の箱型に成形して構成されており、その中央部分には矩形状（長手寸法はスライド方向にある）の開口部１３１が設けられている。開口部１３１の下面の左右四個所には、開口部１３１の両側辺に接続するように凹状のロック係合部１３３が設けられている。左右一対ずつのロック係合部１３３は、前記ロックつまみ１００に設けた一対のロック部１０５，１０５の両端部を同時に係合する寸法・形状に形成されている。ケース１３０の内側の一側面（スライド方向に平行となる一側面）には凹凸状のクリック係合部１３５が設けられている。またケース１３０の下面の四隅には下方向に突出する小突起からなる固定部１３７（図１では三ヶ所のみ示す）が設けられている。
【００２０】
操作つまみ１６０は、合成樹脂を略矩形状の平板状に成形して構成されており、その中央には前記ロックつまみ１００の押圧部１１５を上下動自在に挿入する長円形状の開口１６１が設けられ、また操作つまみ１６０の下面の開口１６１の両側には、平板矩形状の取付部１６３，１６３が下方に向けて平行に突出するように設けられている。取付部１６３，１６３の先端部分はその幅を狭くしてなる挿入取付部１６５，１６５となっている。取付部１６３は、ロックつまみ１００の挿入部１０７には挿入できるが、前記アース板８０の切欠き部８３及び摺動型物５０の取付部５５には挿入できない寸法に形成されており、また挿入取付部１６５は、前記アース板８０の切欠き部８３及び摺動型物５０の取付部５５に挿入できる寸法に形成されている。
【００２１】
そしてこのロック機構付きスライド式電子部品１−１を組み立てる一例を説明すると、まず操作つまみ１６０の下側にケース１３０を配置し、その際ケース１３０の開口部１３１内に操作つまみ１６０の一対の取付部１６３，１６３を挿入する。次にケース１３０の下面側にロックつまみ１００を挿入し、その際ロックつまみ１００の押圧部１１５を操作つまみ１６０の開口１６１に挿入すると共に操作つまみ１６０の一対の取付部１６３，１６３をロックつまみ１００の挿入部１０７に挿入する。次にコイルスプリング１２０をロックつまみ１００のガイド突起１１１に挿入して弾発手段収納穴１０９に収納する。次にその上面にアース板８０を載置した摺動型物５０をケース１３０の下面側に収納する。その際摺動型物５０の下面には摺動子７０が取り付けられており、また摺動型物５０のクリック部材収納部５７にはコイルスプリング５９とクリック部材６１とが収納されている。これによってアース板８０のロックつまみ収納部８２内にロックつまみ１００のロック本体部１０１が収納され、またクリック部材６１がコイルスプリング５９によってケース１３０のクリック係合部１３５に弾接する。またこのとき操作つまみ１６０の両取付部１６３，１６３先端の挿入取付部１６５，１６５をアース板８０の切欠き部８３，８３を介して摺動型物５０の取付部５５，５５に挿入して、その先端を熱カシメして固定する。次に摺動型物５０の下側に第二の回路基板３０が上方になるように重ね合わせた第二，第一の回路基板３０，２０と、取付部材１０とを配置し、第二の回路基板３０に設けた各固定部３７と第一の回路基板２０に設けた各固定部２５と、取付部材１０に設けた各取付部１１とに、ケース１３０の固定部１３７を挿入してその先端を取付部材１０の下面で熱カシメして固定する。これによってロック機構付きスライド式電子部品１−１が完成する。このロック機構付きスライド式電子部品１−１は図３に示すように、摺動型物５０の上面の略全体がアース板８０によって覆われ、またアース板８０の弾性変形する摺接部８５の弾接部８７が第二の回路基板３０の導体パターン３３に当接し、また摺動子７０の摺動冊子７３が第二の回路基板３０に設けた開口部３５によって露出する第一の回路基板２０のスイッチパターン２３に当接している。そして最終的には第一の回路基板２０に設けた回路パターンは引出部２７を介して他の外部の電気回路に接続され、また第二の回路基板３０に設けた導体パターン３３は引出部３９を介して外部のアース回路に接続されている。
【００２２】
次にロック機構付きスライド式電子部品１−１の動作の一例を説明する。図３に示すロック機構付きスライド式電子部品１−１は、ロックつまみ１００のロック部１０５，１０５がケース１３０のロック係合部１３３，１３３に係合していない状態、即ちロック部１０５，１０５がケース１３０の下面のロック係合部１３３，１３３以外の面に当接していてロックつまみ１００のロック本体部１０１全体がアース板８０のロックつまみ収納部８２内に挿入されている状態を示している。従ってこの状態ではロックつまみ１００を操作しなくても操作つまみ１６０を直線方向にスライド移動するだけで摺動型物５０はスライド移動し、これに伴って摺動子７０の摺動冊子７３がスイッチパターン２３上を摺動してその電気的出力（スイッチのオンオフ出力）を変化すると同時に、ケース１３０のクリック係合部１３５に弾接しているクリック部材６１がクリック係合部１３５の凸部分を乗り越えるたびにクリック感覚を生じる。またこのとき同時にアース板８０の摺接部８５の弾接部８７が第二の回路基板３０の導体パターン３３上を摺動する。一方摺動型物５０のスライド移動によってロックつまみ１００の一対のロック部１０５，１０５がケース１３０の一対のロック係合部１３３，１３３に対向する位置にくると、ロックつまみ１００はコイルスプリング１２０の弾発力によって押し上げられて一対のロック部１０５，１０５と一対のロック係合部１３３，１３３が係合し、摺動型物５０はこの位置にロックされる。ロックを解除するにはロックつまみ１００の押圧部１１５を押圧して前記ロック部１０５，１０５とロック係合部１３３，１３３との係合を解除した状態のまま操作つまみ１６０をスライド移動すれば良い。
【００２３】
ところで上記のように操作つまみ１６０やロックつまみ１００を指等によって操作する際、指等が帯電していると、帯電している静電気がロックつまみ１００の押圧部１１５と操作つまみ１６０の開口１６１の間の隙間や、操作つまみ１６０の外周辺とケース１３０上面の間の隙間等から、ケース１３０の開口部１３１を介してケース１３０の内部に侵入する場合があるが、開口部１３１から侵入した静電気は、開口部１３１に接近して配置されている良導体であるアース板８０に入射する。アース板８０に入射した静電気は摺接部８５を介して第二の回路基板３０の導体パターン３３に導かれ、引出部３９から外部のアース回路に導通される。なお導体パターン３３は少なくとも弾接部８７が摺動する部分全体に設けられているので、摺動型物５０がどの位置にあっても導体パターン３３と弾接部８７とは当接していて導通状態にある。従ってケース１３０の開口部１３１から侵入した静電気が、摺動子７０や第一の回路基板２０のスイッチパターン２３及びその他の回路パターンに導入されることはなく、確実にその電気的出力に静電気によるノイズ等が入り込むことを防止できる。
【００２４】
即ちロック機構付きスライド式電子部品１−１は、開口部１３１を有するケース１３０と、ケース１３０の上部に設置される操作つまみ１６０と、ケース１３０の下部に設置され前記開口部１３１を介してケース１３０の上側から操作される電子部品本体部（摺動型物５０や摺動子７０等からなる）とを具備し、ケース１３０の開口部１３１から侵入してくる静電気を入射する導電性を有するアース板８０を前記電子部品本体部に取り付けると共に、アース板８０の一部に接触することでアース板８０に侵入した静電気をアース板８０から導出する導体パターン３３を設けて構成されている。また前記電子部品本体部は、ケース１３０の上側から操作されて移動する摺動型物５０と、摺動型物５０の移動によってその電気的出力を変化する電気的機能部（摺動子７０とスイッチパターン２３からなる）とを具備して構成されている。また導体パターン３３は、摺動型物５０に隣接して設置される第二の回路基板３０上に形成されている。
【００２５】
〔第二実施形態〕
図４は本発明の第二実施形態にかかるロック機構付きスライド式電子部品１−２の概略側断面図（図３と同一部分の断面図）である。同図に示すロック機構付きスライド式電子部品１−２において、第一実施形態にかかるロック機構付きスライド式電子部品１−１と同一又は相当部分には同一符号を付す。なお以下で説明する事項以外の事項については、第一実施形態と同じである。同図に示すロック機構付きスライド式電子部品１−２において、前記ロック機構付きスライド式電子部品１−１と相違する概要は、第一実施形態に示すアース板８０の摺接部８５，８５の代りに、アース板８０の摺動型物５０上面からその側面に向けて折り曲げた下方向を向く側壁部８８を設け、その先端辺（下端辺）８９を導体パターン３３に接近して配置した放電部とした点である。即ち放電部８９は、摺動型物５０の上面を覆うアース板８０の一部を摺動型物５０の側面に沿って（沿わなくても良い）下降させ、その先端部分を導体パターン３３に接近させ、アース板８０に入射した静電気が容易に導体パターン３３に放電部８９を介して放電するように形成されている。即ち導体パターン３３に直接アース板８０の一部を接触するだけでなく、接近させることでも、アース板８０に侵入した静電気をアース板８０から導体パターン３３に導出することができる。
【００２６】
〔第三実施形態〕
図５は本発明の第三実施形態にかかるスライド式電子部品１−３の概略側断面図（図３と同一部分の断面図）である。同図に示すスライド式電子部品１−３において、第一実施形態にかかるロック機構付きスライド式電子部品１−１と同一又は相当部分には同一符号を付す。なお以下で説明する事項以外の事項については、第一実施形態と同じである。同図に示すスライド式電子部品１−３において、前記ロック機構付きスライド式電子部品１−１と相違する概要は、第一実施形態に示すロック機構、即ちロックつまみ１００とコイルスプリング１２０とケース１３０の下面に設けたロック係合部１３３とを省略した点である。その代わりにこの実施形態においては摺動型物５０の上面に摺動型物５０と一体に柱状の操作軸６５を突出して設け、この操作軸６５の上部を操作つまみ１６０に固定し、一方アース板８０は操作軸６５を貫通する部分以外の摺動型物５０の上面の略全体を覆うようにしている。この実施形態の場合、ロック機構を設けていないので、第一実施形態のように操作つまみ１６０の内部に開口１６１のような静電気を侵入させ易い構造（開口１６１を設けると開口１６１からケース１３０の下面側に至る沿面距離が短くなり、静電気が侵入し易くなる）とはならないが、それでも操作つまみ１６０の外周四辺（特に沿面距離の短い操作つまみ１６０の短手方向〔幅方向〕の外周二辺）から操作つまみ１６０とケース１３０の上面の間の隙間を介して開口部１３１からケース１３０の下面側に静電気が侵入する恐れがあり、上記アース板８０等による静電気防止構造は有効である。
【００２７】
〔第四実施形態〕
図６は本発明の第四実施形態にかかる円周に沿って移動する回転式電子部品１−４の概略側断面図である。この回転式電子部品１−４の各部の構造において第一実施形態の構造に相当している部分には同一符号を付す（但し添え字を付している）。この実施形態にかかる回転式電子部品１−４は、取付部材１０−４上に、第一の基板（以下この実施形態では「第一の回路基板」という）２０−４と、第二の基板（以下この実施形態では「第二の回路基板」という）３０−４と、摺動子７０−４を取り付けた移動型物（以下この実施形態では「摺動型物」という）５０−４と、アース板８０−４と、ケース１３０−４と、操作つまみ１６０−４とを設置して構成されている。
【００２８】
取付部材１０−４は剛性を有する金属板（合成樹脂板でも良い）によって構成されており、その所定位置には下記する摺動型物５０−４の軸部６７−４を回動自在に軸支する小孔からなる軸支部１３−４が設けられている。第一の回路基板２０−４は可撓性を有する絶縁性の合成樹脂フイルム〔例えばＰＥＴフイルムやＰＩフイルム等〕２１−４の上面に円弧状に伸びるスイッチパターン２３−４を設け、また前記取付部材１０−４の軸支部１３−４に対向する位置に軸部６７−４を貫通する小孔からなる貫通部２８−４を設けて構成されている。第二の回路基板３０−４は可撓性を有する絶縁性の合成樹脂フイルム〔例えばＰＥＴフイルムやＰＩフイルム等〕３１−４の上面のほぼ全面に静電気導出部材（以下この実施形態では「導体パターン」という）３３−４を設け、また前記第一の回路基板２０−４のスイッチパターン２３−４に対向する位置にスイッチパターン２３−４全体を露出する（さらに回転する摺動子７０−４の移動範囲全体にわたる）寸法形状の開口部３５−４を設けて構成されている。第一，第二の回路基板２０−４，３０−４は、これらを一枚の合成樹脂フイルム２１−４（３１−４）に形成してこれを折り返すことで上下に重ね合わせて構成してもよいし、二枚の独立した合成樹脂フイルム２１−４，３１−４で構成してもよい。
【００２９】
摺動型物５０−４は合成樹脂を略円板状に成形して構成されており、その下面からは軸部６７−４を突出し、上面からは操作軸６８−４を突出している。摺動型物５０−４の下面に取り付けられる摺動子７０−４は弾性金属板製であり、基部７１−４の一辺から突出する二本の摺動冊子７３−４を下方向に折り曲げて構成されている。摺動冊子７３−４は前記スイッチパターン２３−４上に当接している。アース板８０−４は金属板（例えばステンレス板）を前記摺動型物５０−４の上面全体を略覆う形状に構成されている。またその外周からは摺動型物５０−４の側面に沿うように下降する側部８４−４を介して摺動型物５０−４の半径方向外側に向かって突出する摺接部８５−４を設け、その先端に弾接部８７−４を設けている。弾接部８７−４は導体パターン３３−４に当接している。なお導体パターン３３−４は、少なくとも弾接部８７−４が摺動する部分全体に設けられている。ケース１３０−４は合成樹脂を下面が開放された箱型に成形して構成されており、その中央部分には前記摺動型物５０−４の操作軸６８−４を回動自在に軸支する円形の開口部１３１−４が設けられている。ケース１３０−４は図示しない固定手段によって第一，第二の回路基板２０−４，３０−４とともに取付部材１０−４上に固定されている。操作つまみ１６０−４は合成樹脂を略円板形状に成形して構成されており、その下面中央に設けた取付部１６７−４に前記操作軸６８−４を取り付けている。
【００３０】
そして操作つまみ１６０−４と一体に摺動型物５０−４を回動すると、摺動子７０−４の摺動冊子７３−４がスイッチパターン２３−４上を摺動してその電気的出力が変化する。一方この回転式電子部品１−４を指等によって操作する際、指等に帯電している静電気が操作軸６８−４と開口部１３１−４の間の隙間から、ケース１３０−４の裏面側に侵入する場合があるが、開口部１３１−４から侵入した静電気は、開口部１３１−４に接近して配置されている良導体であるアース板８０−４に入射し、摺接部８５−４を介して第二の回路基板３０−４の導体パターン３３−４に導かれ、外部のアース回路に導通される。従ってケース１３０−４の開口部１３１−４から侵入した静電気が摺動子７０−４やスイッチパターン２３−４及びその他の回路パターンに導入されることはなく、確実にその電気的出力に静電気によるノイズ等が入り込むことを防止できる。
【００３１】
即ちこの回転式電子部品１−４は、開口部１３１−４を有するケース１３０−４と、ケース１３０−４の上部に設置される操作つまみ１６０−４と、ケース１３０−４の下部に設置され開口部１３１−４を介してケース１３０−４の上側から操作される電子部品本体部（摺動型物５０−４や摺動子７０−４等からなる）とを具備し、ケース１３０−４の開口部１３１−４側から侵入してくる静電気を入射する導電性を有するアース板８０−４を取り付けると共に、アース板８０−４の一部に接触することでアース板８０−４に侵入した静電気をアース板８０−４から導出する導体パターン３３−４を設けて構成されている。また前記電子部品本体部は、ケース１３０−４の上側から操作されて移動する摺動型物５０−４と、摺動型物５０−４の移動によってその電気的出力を変化する電気的機能部（摺動子７０−４とスイッチパターン２３−４からなる）とを具備して構成されている。また導体パターン３３−４は、摺動型物５０−４に隣接して設置される第二の回路基板３０−４上に形成されている。なおこの実施形態においても、第二実施形態のようにアース板８０−４の摺接部８５−４を省略し、その代わりにアース板８０−４の一部に導体パターン３３−４に接近して配置される放電部を設けても良い。
【００３２】
〔第五実施形態〕
図７は本発明の第五実施形態にかかるロック機構付きスライド式電子部品１−５の概略側断面図（図３と同一部分の断面図）である。同図に示すロック機構付きスライド式電子部品１−５において、第一実施形態にかかるロック機構付きスライド式電子部品１−１と同一又は相当部分には同一符号を付す。なお以下で説明する事項以外の事項については、第一実施形態と同じである。同図に示すスライド式電子部品１−５において、前記ロック機構付きスライド式電子部品１−１と相違する概要は、第一実施形態に示す静電気導出部材である導体パターン３３と、これを形成した第二の回路基板３０と、導体パターン３３に摺接するアース板８０の摺接部８５（弾接部８７を含む）とを省略し、その代りにアース板８０の所定位置に静電気導出部材として可撓性を有するリード線又はフレキシブル回路基板９１を電気的に接触（接続）し、リード線又はフレキシブル回路基板９１の他方の部分を外部のアース回路９３に電気的に接続した点である。リード線又はフレキシブル回路基板９１は摺動型物５０及びアース板８０がスライド自在となるように、所定の撓みをもってアース板８０に取り付けられている。このように構成しても、アース板８０に侵入した静電気をアース板８０から外部に容易に導出することができる。
【００３３】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態ではアース板８０の一部に接近又は接触する静電気導出部材として基板（第二の回路基板３０）上に形成した導体パターン３３を用いたが、静電気導出部材はこれに限られず、金属板等で構成してもよい。また静電気導出部材は移動型物の下側に設置する必要はなく、移動部材の側面側（例えばケースの内側面）や上面側（例えばケースの下面）に設置してもよく、要は移動部材に隣接して設置されていればよい。また基板（第二の回路基板）３０を固定する固定側部材として電子部品を構成する取付部材１０を設けたが、これを省いて、この電子部品以外の外部の部材（例えばこの電子部品やその他の部品を同時に取り付ける部材）に直接基板３０を固定しても良い。また上記実施形態では電気的機能部を摺動子７０とスイッチパターン２３を具備するスイッチ機構で構成したが、スイッチパターン２３の代わりに抵抗パターンを用いた可変抵抗機構等の他の電気的出力が得られる機構で構成してもよい。また電気的機能部は必ずしも摺動子と基板上に設けるパターンによって構成する必要はなく、他の種々の構造の電気的機能部であってもよい。要は移動型物の移動によってその電気的出力を変化する電気的機能部であればどのような構造のものであっても良い。また上記実施形態ではアース板８０を金属板によって構成したが、アース板８０は導電性を有する部材であれば良く、例えば合成樹脂板（硬質の合成樹脂板でも良いし、可撓性を有する合成樹脂フイルムからなる合成樹脂板でも良い）の表面に導電層を設けて構成してもよい。また操作つまみ１６０は必ずしも必要なく、例えば図５に示すスライド式電子部品１−３や図６に示す回転式電子部品１−４の場合は、操作軸６５や操作軸６８−４自体を操作つまみとして用いても良い。
【図面の簡単な説明】
【００３４】
【図１】ロック機構付きスライド式電子部品１−１の分解斜視図（上側部分）である。
【図２】ロック機構付きスライド式電子部品１−１の分解斜視図（下側部分）である。
【図３】ロック機構付きスライド式電子部品１−１の概略側断面図である。
【図４】ロック機構付きスライド式電子部品１−２の概略側断面図である。
【図５】スライド式電子部品１−３の概略側断面図である。
【図６】回転式電子部品１−４の概略側断面図である。
【図７】ロック機構付きスライド式電子部品１−５の概略側断面図である。
【符号の説明】
【００３５】
１−１  ロック機構付きスライド式電子部品（電子部品）
１０  取付部材（固定側部材）
２０  第一の回路基板（電子部品本体部）
２３  スイッチパターン（電子部品本体部、電気的機能部）
３０  第二の回路基板（基板）
３３  導体パターン（静電気導出部材）
３５  開口部
５０  摺動型物（移動型物、電子部品本体部）
７０  摺動子（電子部品本体部、電気的機能部）
８０  アース板
８５  摺接部
８７  弾接部
１２０  コイルスプリング（弾発手段、ロック機構）
１００  ロックつまみ（ロック機構）
１３０  ケース
１３１  開口部
１３３  ロック係合部（ロック機構）
１６０  操作つまみ
１−２  ロック機構付きスライド式電子部品
１−３  スライド式電子部品
１−４  回転式電子部品
１−５  ロック機構付きスライド式電子部品
９１  リード線又はフレキシブル回路基板（静電気導出部材）
【図１】
2006140092.tif 000003
【図２】
2006140092.tif 000004
【図３】
2006140092.tif 000005
【図４】
2006140092.tif 000006
【図５】
2006140092.tif 000007
【図６】
2006140092.tif 000008
【図７】
2006140092.tif 000009